(57)【要約】  トイレット・トレーニング・システムは座部（１０）および相補的なベース（１２）を含む。座部は子供を収容するように成形された空洞を画定する湾曲した表面をもつ中央の座部部材（３４）を有し、座部部材はその下面に開口部（３６）を有する。ベースは円筒形の外部側壁（４２）および側壁に対して横断方向に延在して容器を画定する仕切り部材を含む。仕切り部材は座部部材の湾曲した表面に対して相補的に傾斜または湾曲した表面をもつ中央部（５０）を有する。座部はシステムの第１および第２の構成ではベースの上に取り付けることができる。第１の構成では、仕切り部材の中央部は座部部材に比較的密接に設置され、好ましくはそれに接する。これはシステムのトレーニングまたは習熟の使用モードに対応する。第２の構成では、仕切り部材は座部部材から比較的遠く離れて間隔を空け、そのモードでは、システムはポッティとして使用され得る。第３の使用モードでは、座部はトイレットの縁の上に直接取り付けることができる。
2013523306.tif 000002
【特許請求の範囲】
【請求項１】
座部および相補的なベースを含むトイレット・トレーニング・システムであって、前記座部が子供を収容するように成形された空洞を画定する湾曲した表面をもつ中央の座部部材を有し、前記座部部材がその中に開口部を有し、前記ベースが円筒形の外部側壁と、前記側壁に対して横向きに延在して少なくとも第１の容器を画定する仕切り部材とを含み、前記仕切り部材が前記座部部材の前記湾曲した表面に対して相補的に傾斜または湾曲した表面をもつ中央部を有する、トイレット・トレーニング・システム。
【請求項２】
前記座部が前記システムの第１および第２の構成では前記ベースの上に取り付け可能であり、前記仕切り部材の前記中央部が、前記第１の構成では前記座部部材に比較的密接に設置され、前記第２の構成では前記座部部材から比較的遠くに離れて間隔を空ける、請求項１に記載のトイレット・トレーニング・システム。
【請求項３】
前記第１の構成では前記仕切り部材の前記中央部が前記座部部材の前記下側から５ｃｍ未満の間隔を空ける、請求項２に記載のトイレット・トレーニング・システム。
【請求項４】
前記第１の構成では前記仕切り部材の前記中央部が前記座部部材の前記下側に接する、請求項３に記載のトイレット・トレーニング・システム。
【請求項５】
トイレット・トレーニング・システムの座部とともに使用するためのベースであって、前記座部が子供を収容するように成形された空洞を画定する湾曲した表面をもつ中央の座部部材を有し、前記座部部材がその中に開口部を有し、前記ベースが円筒形の外部側壁と、前記側壁に対して横断方向に延在して少なくとも第１の容器を画定する仕切り部材とを含み、前記仕切り部材が前記座部部材の前記湾曲した表面に対して相補的に傾斜または湾曲した表面をもつ中央部を有する、ベース。
【請求項６】
前記仕切り部材が、前記外部側壁に対して全体的に横断方向に延在する中央部と、前記外部側壁の内部に配置され前記外部側壁に対して実質的に平行または浅い角度で延在する直立した内部側壁とをもつカップの形である、請求項５に記載のベース。
【請求項７】
前記内部側壁が円筒形であり、前記内部側壁内で断面が円または楕円の形をもつ容器を画定する、請求項６に記載のベース。
【請求項８】
前記仕切り部材の前記中央部が、前記座部の前記中央の座部部材の前記湾曲した表面の曲率に対して相補的な曲率で湾曲した、請求項６または請求項７に記載のベース。
【請求項９】
前記内部側壁の前記高さが、前記ベースが前記座部に対してその第１の配向にあるとき、前記仕切り部材の前記湾曲した中央部が前記座部の前記中央の座部部材の前記湾曲した表面から第１の所定距離だけ間隔を空けるように選択された、請求項８に記載のベース。
【請求項１０】
前記第１の所定距離が０から５ｃｍの範囲内である、請求項９に記載のベース。
【請求項１１】
前記第１の所定距離が１ｃｍ未満である、請求項１０に記載のベース。
【請求項１２】
前記ベースがその前記第１の配向にあるとき、前記仕切り部材の前記湾曲した中央部が前記座部の前記中央の座部部材の前記湾曲した底面に接するか、またはほとんど接する、請求項１１に記載のベース。
【請求項１３】
前記ベースが前記座部に対して第２の配向にあるとき、前記仕切り部材の前記湾曲した中央部が前記座部の前記中央の座部部材の前記湾曲した表面から第２の所定距離だけ間隔を空けた、請求項８に記載のベース。
【請求項１４】
前記第２の所定距離が２ｃｍから１０ｃｍの範囲内である、請求項１３に記載のベース。
【請求項１５】
前記ベースの端部の上に適合するように成形されたカバーまたはふたを含み、前記ふたが前記ベースの上に前記ふたを保持するための平らな中央面および周辺構造を有する、請求項５から請求項１４のいずれか一項に記載のベース。
【発明の詳細な説明】
【技術分野】
【０００１】
本発明は、トイレット・トレーニング・システムに関する。
【背景技術】
【０００２】
小さい子供のトイレット・トレーニングは、通常生後１８ヶ月から２４ヶ月の間に取りかかり、子供が３歳までおむつを着けているのは珍しいことではない。「おむつの山」の結果としての環境への悪影響はよく知られている。使用するおむつを少なくすることは、環境を保護する助けになるだけでなく、両親または保育士にかかるおむつのコストを削減する。
【０００３】
従来、さまざまなトイレット・トレーニングの補助器具が使用されてきた。これらのうちの最も基本的なものは、子供が従来の水洗トイレの使用に向けてのステップとして使用するように教えられる、おまるまたは「ポッティ」である。子供は、おまるの中に用を足し、両親または他の保育士はおまるの中身を便器の中に空けなければならない。ポッティから大人のトイレへの移行は大きなステップである。
【０００４】
トイレット・トレーニングにおいて、補助するための他の装置が知られている。例えば、子供が便座に届くことを可能にする、ステップアップ・スツールが知られている。この補助器具は子供が便座に登るのを助けるが、これは主に年上のよちよち歩きの幼児が使用するのに適しており、落下する危険をもたらす。
【０００５】
他のトイレット・トレーニング装置は単に小さな開口部をもつ座部を作るだけである。しかしながら、これらはしばしば望ましくない。
【０００６】
一般に、既存のトイレット・トレーニング装置は、非常に幼い子供（特に生後１８ヶ月未満の子供）には適しておらず、効果的に使用するためには、大人の相当な介入および監督を必要とする。
【０００７】
上記の問題は、座部、および容器を画定する関連ベースを含むトイレット・トレーニングの装置またはシステムを開示する、国際公開第２０１０／０１６０１２号に記載された発明によって対処される。座部はその中に開口部をもつ湾曲した座部部材を有し、ベースの上または直接トイレの縁の上に取り付けることができる。ベースは、ベースを異なる深さの２つの容器に分割する仕切り部材を有し、座部が、システムの第１および第２の構成ではベースとともに、システムの第３の構成ではトイレの上で使用されることを可能にする。
【先行技術文献】
【特許文献】
【０００８】
【特許文献１】国際公開第２０１０／０１６０１２号
【発明の概要】
【発明が解決しようとする課題】
【０００９】
本発明の目的は、この種類のトイレット・トレーニング・システムに代替のベースを提供することである。
【課題を解決するための手段】
【００１０】
本発明によれば、座部および相補的なベースを含むトイレット・トレーニング・システムが提供され、座部は子供を収容するように成形された空洞を画定する湾曲した表面をもつ中央の座部部材を有し、座部部材はその中に開口部を有し、ベースは円筒形の外部側壁および側壁に対して横断方向に延在して少なくとも第１の容器を画定する仕切り部材を含み、仕切り部材は座部部材の湾曲した表面に対して相補的に傾斜または湾曲した表面をもつ中央部を有する。
【００１１】
座部は、システムの第１および第２の構成ではベースの上に取り付け可能であり、仕切り部材の中央部は、第１の構成では座部部材に比較的密接に設置され、第２の構成では座部部材から比較的遠く離れて間隔を空ける。
【００１２】
好ましくは、第１の構成では仕切り部材の中央部が座部部材の下側から５ｃｍ未満の間隔を空け、より好ましくは２ｃｍ未満、さらにより好ましくは１ｃｍ未満の間隔を空ける。
【００１３】
理想的には、第１の構成では仕切り部材の中央部は座部部材の下側に接するべきである。
【００１４】
さらに本発明によれば、トイレット・トレーニング・システムの座部とともに使用するためのベースが提供され、座部は子供を収容するように成形された空洞を画定する湾曲した表面をもつ中央の座部部材を有し、座部部材はその中に開口部を有し、ベースは円筒形の外部側壁および側壁に対して横断方向に延在して少なくとも第１の容器を画定する仕切り部材を含み、仕切り部材は座部部材の湾曲した表面に対して相補的に傾斜または湾曲した表面をもつ中央部を有する。
【００１５】
仕切り部材は、外部側壁に対して全体的に横断方向に延在する中央部、および外部側壁の内部に配置され、外部側壁に対して実質的に平行または浅い角度で延在する直立した内部側壁をもつ、カップの形であり得る。
【００１６】
内部側壁は、好ましくは円筒形であり、内部側壁内で断面が円または楕円の形をもつ容器を画定する。
【００１７】
仕切り部材の中央部は、座部の中央の座部部材の湾曲した表面の曲率に対して相補的な曲率で湾曲することができる。
【００１８】
好ましくは、内部側壁の高さは、ベースが座部に対してその第１の配置にあるとき、仕切り部材の湾曲した中央部が座部の中央の座部部材の湾曲した表面から第１の所定距離だけ間隔を空けるように、選択される。
【００１９】
第１の所定距離は、０から５ｃｍの範囲内、好ましくは０から２ｃｍの範囲内であり得る。
【００２０】
好ましくは、第１の所定距離は１ｃｍ未満であり、約１ｍｍまたはさらに小さい範囲である。
【００２１】
実質上、ベースがその第１の配向にあるとき、仕切り部材の湾曲した中央部は、座部の中央の座部部材の湾曲した底面に接するか、またはほとんど接する。
【００２２】
反対に、ベースが座部に対してその第２の配向にあるとき、仕切り部材の湾曲した中央部は、好ましくは座部の中央の座部部材の湾曲した表面から第２の所定距離だけ間隔を空ける。
【００２３】
第２の所定距離は、２ｃｍから１０ｃｍの範囲内、好ましくは４ｃｍから７ｃｍの範囲内、最も好ましくは約５．５ｃｍであり得る。
【００２４】
第２の所定距離は、好ましくは、仕切り部材の湾曲した中央部の中心から、座部部材の中の開口部の最も低い内縁部まで、垂直に測定される。
【００２５】
システムはベースの端部の上に適合するように成形されたカバーまたはふたを含むことができ、ふたはベースの上にふたを保持するための平らな中央面および周辺構造を有する。
【図面の簡単な説明】
【００２６】
【図１】第２の構成で組み立てられた、本発明による座部およびベース・ユニットを含むトイレット・トレーニング・システムの絵画図である。
【図２】図１のシステムの分解図である。
【図３】第１の構成で組み立てられた座部およびベース・ユニットをもつトイレット・トレーニング・システムの絵画図である。
【図４】図２の中の線４〜４上のベース・ユニットの断面図である。
【図５】図１に対応する、その第２および第１の構成で組み立てられたシステムの側断面図である。
【図６】図３に対応する、その第２および第１の構成で組み立てられたシステムの側断面図である。
【図７】その補強リブを示す座部の底面図である。
【図８】ベース・ユニットならびに関連するふたまたはカバーを示す分解絵画図である。
【図９】ベース・ユニットの上部の定位置にあるカバーを示すベース・ユニットの側断面図である。
【発明を実施するための形態】
【００２７】
本発明は、国際公開第２０１０／０１６０１２号に記載したような座部と一緒に使用して、多様なトイレット・トレーニングの装置またはシステムを提供することができるベース・ユニットに関する。
【００２８】
上述の国際出願では、その内容は参照により本明細書に組み込まれているが、座部１０およびベース・ユニット１２（下記では単にベースと呼ぶ）が提供され、これらは、トイレット・トレーニング・システムの第１および第２の構成では一緒に使用することができ、または、座部だけ別に従来のトイレの縁に取り付けて使用することができる。本発明は、実質的に同様または同一の座部とともに使用するための、改良されたベースを提供することを追求する。
【００２９】
最初に図１および図２を参照すると、上記に参照した種類の座部１０が本発明によるベース１２とともに示される。
【００３０】
好ましくは、座部１０は、主としてポリウレタン・フォームまたは適切な特性をもつ別の材料などの、堅固だが柔らかいプラスチック材料から一体成形として鋳造される。使用される材料は、使用の際にその形を維持するのに十分なほど堅固で高密度であるべきだが、好ましくは触ると柔らく、ある程度変形可能で、簡単にきれいにできる表面をもつ防水の外層を有し、できるだけ軽くあるべきである。内部リブまたは「スケルトン」は、鋳造された座部の中に含まれ、必要なところを補強することができる。理想的には、使用される材料はリサイクル可能であるか、または生物分解性があるはずである。
【００３１】
座部１０は、標準便器の縁の一般形状に対応しており、計画では一般的に楕円形または卵形である階段状の取り付け構造を画定する、周辺縁１４を有する。取り付け構造は、フランジ１６の形状でベース１２の上の相補的な取り付け構造の上に適合するように成形される。後者は、従来の便器の縁の輪郭にある程度対応するように成形され、その結果座部は、ベースまたは便器の上部にしっかりと、しかし取り外しできるように取り付けることもできる。上述の変形可能の程度によって、座部が少し異なる形の便器にも適合することが可能になる。
【００３２】
直立した側壁２０は周辺縁１４から上向きに延在する。座部の第１の後端部で、側壁は上向きに延在して背もたれ２２を画定する。図５および図６の断面図の中で最もよく見られるように、背もたれの内面は、通常５度から１５度、好ましくは約１０度の角度で垂直から前方に傾いた先細の輪郭を有する。
【００３３】
直立した側壁２０は、背もたれから座部の第２の前端部に向かって前方に延在し、２つの開口２４および開口２６が側壁の中に形成されて、装置の中に座った子供の脚が突き出ることを可能にする。側壁２０が背もたれ２２のどちらの側からも前方に延在するところでは、その上縁部３０は背もたれ２２の上部より低く、その高さは乳児を座部の中に保持するのを支援するように選択される。開口２４と開口２６との間は、それ自体をグリップまたは（鞍馬のポメルに似た）「ポメル」として使用されるように用立てる、直立した側壁の小さな部分３２である。プロトタイプ装置では、側壁２０の上縁部３０は、縁１４の下縁部の上方約１２ｃｍであり、グリップまたは「ポメル」３２の上端部は縁の下縁部の上方約１０ｃｍであった。
【００３４】
開口２４および開口２６は、５度と１５度の間、好ましくは約１０度の角度で水平に対して傾いた、全体的に平らで少し凸状に湾曲した脚の支持体の表面を画定する。したがって、支持体の表面と背もたれ２２の内面との間の挟角は、６０度と８０度の間、最も好ましくは約７０度の鋭角である。
【００３５】
座部１０の中央部は、子供の臀部を受けるように成形された湾曲した座部部材３４を含み、子供の背中が背もたれ２２の内面と接触し、子供の脚が開口２４および開口２６を通って延在する。下記に記載されるように、座部部材の中の開口または開口部３６は、子供がそこで、ベース１２によって画定された便器または容器の中に自由に排尿および排便することが可能になるように、サイズが調整され位置が決められる。図５および図６から最もはっきり見ることができるように、座部部材３４の最も低い部分は、座部の周辺縁１４の下に約８ｃｍ延在する。これによって、座部が使用の際に低い重心をもつことが保証される。
【００３６】
プロトタイプ装置では、座部の前から後までの、背もたれ２２の内面と「ポメル」３２の内面との間の内部距離は約１９ｃｍであり、直立した側壁の間の内部距離は左右に約２０ｃｍであった。背もたれの上部から測定して、座部自体の全高は約２１ｃｍであり、ベースと一緒に使用するときは約３５ｃｍであった。
【００３７】
開口３６は、一般に涙形であり、示したように、座部部材の中のほぼ中央に位置する拡大した第１の端部３８、および、背もたれ２２から離れて直立した壁部３２に向かって前方に延在する先細の第２の端部４０をもつ。先細の端部４０は、座部部材３４の湾曲した表面の上に延在し、その最端部は拡大した第１の端部３８より高い。プロトタイプ装置では、開口部の全長および全幅は、それぞれ約２０ｃｍおよび約９ｃｍであり、開口部の先細の端部４０と「ポメル」３２の上部との間の距離は、約２．５ｃｍであった。
【００３８】
座部の一実施形態では、ポリプロピレン強化部材が開口部３６のまわりの座部部材３４に鋳造される。強化部材は、座部部材の強度を高め、座部の発泡材料の破裂に対する抵抗値を増大させる。
【００３９】
解剖学的に適合し且つ湾曲した、涙形の開口部のサイズおよび多少細長い形は、約４ヶ月から約３歳までの異なる年齢の子供を収容し、男児および女児のどちらの子供からも小便および大便の排泄を邪魔しないことを可能にするように、必要以上に大きくせずに設計される。適合し且つ湾曲した開口部の設計は、男の子のペニスを支障なく収容する先細の端部４０が上向きに延在することで、男の子が水平に排尿する問題に対処する。
【００４０】
ベース１２は、食品等級のポリプロピレンなどの堅いプラスチックス材料から鋳造され、全体的に円筒形の形を有し、計画では円形または円形に近い直立した外部側壁４２をもつ。ベースの第１の端部で、計画では全体的に環状の第１の端部の表面４４が画定され、その中で、いくつかの切り抜きが形成されて刻み目のある、または銃眼を設けた構造を画定する。５つの狭い切り抜き４６は端部の表面４４の一方の側に形成され、一対のより広い切り抜き４８は端部の表面４４の反対側に形成される。切り抜きは座部１０の下側に形成されたリブ６６および６８の形に対応し（図７参照）、座部がベースの第１の端部にしっかり取り付けられることを可能にする。
【００４１】
第１の端部とは反対側のベースの端部で、第２の端部の表面５４は、従来の便器の縁の形と同様に成形され、端部の表面５４のまわりに延在するへり５６をもつ。つかみ所を画定するくぼみ５８は、へり５６の中で、端部の表面５４の一方の側に形成される。
【００４２】
第２の端部の表面の形は、一部はベースの製造を容易にするために、また、従来の便器の縁の形に多少対応するように選択され、この端部の表面上のベースに座部１０を確実に設置することが保証される。これは、より大きくより重い乳児とともに使用されそうなベースの配置に対応する。
【００４３】
外部側壁４２に対して横断方向に延在するのは、側壁４２に対して全体的に横断方向に延在する、傾斜し湾曲した中央部５０をもつ全体的にカップの形をした仕切り部材、および、外部側壁４２の内部に配置され、側壁４２に対して実質平行に、または浅い角度で延在する、直立した円筒形の内部側壁５２である。内部側壁５２によって画定された、カップの形をした仕切り部材の「縁」は、ベースの第１の端部の表面４４の内縁部でベースの第１の端部に連結する。
【００４４】
ベースの配向に応じて、仕切り部材の内部側壁５２および湾曲した中央部５０は、外部側壁４２の内部でカップの形をした容器６０を画定するもの、あるいは、外部側壁４２の内部で直立した台座を画定するものとして考えることができる。
【００４５】
仕切り部材の中央部５０の形、傾斜および曲率は、具体的には、図３および図６に示した構成において、座部部材３４の下側の曲率によって決定される。図６の中で最もよく見ることができるように、座部１０がベース１２の上に正しく取り付けられると、座部部材３４の下側および中央の仕切り部材５０の上面は、間隔を密接にし、全体的に均一な高さの比較的狭い隙間６４を画定する。
【００４６】
好ましくは、内部側壁の高さは、ベースおよび座部が図示された構成にあるとき、仕切り部材の湾曲した中央部が座部の中央の座部部材の湾曲した表面と間隔を密接にするように、選択される。間隔は、５ｃｍ未満、より好ましくは２ｃｍ未満、または１ｃｍですらあるべきである。理想的には、仕切り部材の湾曲した中央部の上面は、座部部材３４の湾曲した下面の下側にちょうど接触するか、またはそれらの間の隙間は１ｍｍまたはそれ未満のオーダで、非常に小さくあるべきである。
【００４７】
これの効果は、上から見ると、仕切り部材の中央部５０の表面が座部部材の中の開口部３６を通してはっきり見ることができることである。これは子供を最初に装置の使用に順応させる助けとなる。
【００４８】
この理由は、この第１の「初心者」構成において、システムは子供が「ポッティ」としてではなく、むしろ子供をシステムに慣れさせる手段として使用するものである。したがって、通常、乳児はおむつまたはおしめを着けて座部の中に置かれ、仕切り部材の上端部が座部部材３４の中の開口部３６を通して、２つの間に実質的または明らかな隙間なしで（好ましくは実質的に隙間なしで）見ることができるという事実により、乳児が座部の下の深いかまたは暗い空洞を見ることによって不快にされないことが保証される。これは子供を最初にシステムの使用に順応させる助けとなる。実質上、この構成では子供はシステムを快適な座部として見る。
【００４９】
ここで図２および図５を参照すると、座部１０は、仕切り部材の中央部５０によって画定された容器６０の中に延在する湾曲した座部部材３４を有して、ベースの上端部の表面に取り付けられたように示される。この第２の「中間の」構成では、仕切り部材の中央部５０の表面は、座部部材３４の下側からいくらかさらに離れていて、通常、２ｃｍから１０ｃｍの範囲、好ましくは４ｃｍから７ｃｍの範囲、最も好ましくは約５．５ｃｍの距離Ｘだけ離れている。
【００５０】
この距離Ｘは、好ましくは、図５に示したように、仕切り部材の湾曲した中央部５０の中心から座部部材の中の開口部の最も低い内縁部の高さまで、垂直に測定される。開口部３６の前および後に向かって、仕切り部材と座部部材との間の距離は、座部部材および仕切り部材の相対的な曲率に起因して、約７ｃｍから約９ｃｍまでわずかに増加する。
【００５１】
この構成では、仕切り部材と座部部材との間の隙間は、子供がシステムを「ポティ」として使用することを可能にするには十分であるが、仕切り部材は依然開口部３６の下にはっきりと見ることができる。したがって、これは、座部部材の下により深くて暗い空間が存在するより、子供をあまり不快にさせないだろう。容器６０の容積はこの目的には十分である。
【００５２】
実質的に平らな中央部５０を有し、単に座部部材３４の傾斜および曲率に適合するように傾斜している仕切り部材をもつベースを製造することは可能である。そのようなベースは、上記のベースのバージョンの利点のほとんどを保持する。
【００５３】
子供が座部部材の下の開口の存在に慣れると、システムの第３の「進歩した」構成を使用することができ、そこでは、座部はベースを使用せずに便器の縁の上に直接取り付けられる。この構成では、座部は、大人が子供を助けることにより便器の縁の上にしっかりと置かれ、適切な位置に子供をしっかりと保持し、座部部材の最も低い部分が座部の縁の下に延在するという事実に起因して、座部の全体の重心および子供は一緒に比較的低く維持される。
【００５４】
子供が十分大きいと、彼／彼女は容易にトレーニング・システムなしのトイレを使用するようになることができる。
【００５５】
記載したシステムの有効性および多用性を強化するために、図８および図９に示したように、ふたまたはカバー７０をベース１２用に提供することができる。カバーはベースによって画定された容器を覆うふたとして働き、その結果、ベースはコンテナとして働くことができるが、ベースを踏み段に転用する働きもする。図示されたカバーは、へり７４をもつ平らな中央領域７２を有し、示したように、ベースの上端部の表面４４の上に適合するようにサイズが調整される。中央領域７２は、粗くされるかまたは織り目を出されて、カバーおよび踏み段としてベースを使用する子供に、しっかりしたスリップしない足場を提供する。カバー７０は、ベースと同じ材料から鋳造することができるか、または別の適切な材料から形成することができる。
【００５６】
踏み段として使用されると、ベースおよびカバーは座部から独立して使用されて、例えば子供がシンクに届くことを可能にするか、またはより大きな子供が立って便器の中に排尿することを可能にすることができる。ベースおよびカバーは、座部とともに使用して、具体的には、座部が便器に取り付けられているときに、より大きな子供が座部に届くことを可能にすることもできる。これはシステムの有用寿命を延ばす。
【００５７】
（記載したカバー付きまたはカバーなしの）座部およびベースは、キットもしくはシステムとして一緒に売ることができるか、または構成部品を別々に提供することができる。
【００５８】
他の利点はさておき、座部および開口部は、赤ちゃんのお尻の形に成形され、両側と前後で赤ちゃんを支え、彼らに安心および安定を感じさせ続ける。これは本発明と、例えば開口部をより小さくするだけの従来のトイレット・トレーニング装置との間の重要な違いである。
【図１】
2013523306.tif 000003
【図２】
2013523306.tif 000004
【図３】
2013523306.tif 000005
【図４】
2013523306.tif 000006
【図５】
2013523306.tif 000007
【図６】
2013523306.tif 000008
【図７】
2013523306.tif 000009
【図８】
2013523306.tif 000010
【図９】
2013523306.tif 000011
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
座部および相補的なベースを含むトイレット・トレーニング・システムであって、前記座部が子供を収容するように成形された空洞を画定する湾曲した表面をもつ中央の座部部材を有し、前記座部部材がその中に開口部を有し、前記ベースが円筒形の外部側壁と、前記側壁に対して横向きに延在して少なくとも第１の容器を画定する仕切り部材とを含み、前記仕切り部材が前記座部部材の前記湾曲した表面に対して相補的に傾斜または湾曲した表面をもつ中央部を有する、トイレット・トレーニング・システム。
【請求項２】
前記座部が前記システムの第１および第２の構成では前記ベースの上に取り付け可能であり、前記仕切り部材の前記中央部が、前記第１の構成では前記座部部材に比較的密接に設置され、前記第２の構成では前記座部部材から比較的遠くに離れて間隔を空ける、請求項１に記載のトイレット・トレーニング・システム。
【請求項３】
前記第１の構成では前記仕切り部材の前記中央部が前記座部部材の前記下側から５ｃｍ未満の間隔を空ける、請求項２に記載のトイレット・トレーニング・システム。
【請求項４】
前記第１の構成では前記仕切り部材の前記中央部が前記座部部材の前記下側に接する、請求項３に記載のトイレット・トレーニング・システム。
【請求項５】
トイレット・トレーニング・システムの座部とともに使用するためのベースであって、前記座部が子供を収容するように成形された空洞を画定する湾曲した表面をもつ中央の座部部材を有し、前記座部部材がその中に開口部を有し、前記ベースが円筒形の外部側壁と、前記側壁に対して横断方向に延在して少なくとも第１の容器を画定する仕切り部材とを含み、前記仕切り部材が前記座部部材の前記湾曲した表面に対して相補的に傾斜または湾曲した表面をもつ中央部を有する、ベース。
【請求項６】
前記仕切り部材が、前記外部側壁に対して全体的に横断方向に延在する中央部と、前記外部側壁の内部に配置され前記外部側壁に対して実質的に平行または浅い角度で延在する直立した内部側壁とをもつカップの形である、請求項５に記載のベース。
【請求項７】
前記内部側壁が円筒形であり、前記内部側壁内で断面が円または楕円の形をもつ容器を画定する、請求項６に記載のベース。
【請求項８】
前記仕切り部材の前記中央部が、前記座部の前記中央の座部部材の前記湾曲した表面の曲率に対して相補的な曲率で湾曲した、請求項６または請求項７に記載のベース。
【請求項９】
前記内部側壁の前記高さが、前記ベースが前記座部に対してその第１の配向にあるとき、前記仕切り部材の前記湾曲した中央部が前記座部の前記中央の座部部材の前記湾曲した表面から第１の所定距離だけ間隔を空けるように選択された、請求項８に記載のベース。
【請求項１０】
前記第１の所定距離が０から５ｃｍの範囲内である、請求項９に記載のベース。
【請求項１１】
前記第１の所定距離が１ｃｍ未満である、請求項１０に記載のベース。
【請求項１２】
前記ベースがその前記第１の配向にあるとき、前記仕切り部材の前記湾曲した中央部が前記座部の前記中央の座部部材の前記湾曲した底面に接するか、またはほとんど接する、請求項１１に記載のベース。
【請求項１３】
前記ベースが前記座部に対して第２の配向にあるとき、前記仕切り部材の前記湾曲した中央部が前記座部の前記中央の座部部材の前記湾曲した表面から第２の所定距離だけ間隔を空けた、請求項８に記載のベース。
【請求項１４】
前記第２の所定距離が２ｃｍから１０ｃｍの範囲内である、請求項１３に記載のベース。
【請求項１５】
前記ベースの端部の上に適合するように成形されたカバーまたはふたを含み、前記ふたが前記ベースの上に前記ふたを保持するための平らな中央面および周辺構造を有する、請求項５から請求項１４のいずれか一項に記載のベース。
【請求項１６】
本明細書に記載され添付図面を参照して例示されたものと実質的に同様であるトイレット・トレーニング・システム。
【請求項１７】
本明細書に記載され添付図面を参照して例示されたものと実質的に同様であるトイレット・トレーニング・システムの座部とともに使用するためのベース。
【国際調査報告】
2013523306.tif 000012
2013523306.tif 000013
2013523306.tif 000014